(57)【要約】【課題】可動体の停止時における振動を抑えることができる遊技台を提供する。【解決手段】スロットマシンは、駆動モータ６１６と、駆動モータ６１６によって駆動されるリール１１０（１１１、１１２）と、駆動モータ６１６の回転時は、駆動モータ６１６の回転駆動力を伝達可能で、駆動モータ６１６の停止時は、可動体１１０（１１１、１１２）の慣性力による移動を許容して移動後の位置で可動体１１０（１１１、１１２）を停止させる移動許容手段（駆動プーリ６１８、被駆動プーリ６２０、タイミングベルト６２２、テンションローラ６２６、およびベルト押さえローラ６２８）と、を有して構成されている。【選択図】図４
2008011948.tif 000002
【特許請求の範囲】
【請求項１】
駆動モータと、
前記駆動モータによって駆動される可動体と、
前記駆動モータの回転時は、前記駆動モータの回転駆動力を伝達可能で、前記駆動モータの停止時は、前記可動体の慣性力による移動を許容して移動後の位置で前記可動体を停止させる移動許容手段と、を有して構成されていることを特徴とする、
遊技台。
【請求項２】
前記移動許容手段は、
前記駆動モータによって回転駆動される駆動プーリと、
前記可動体と共に回転する被駆動プーリと、
前記駆動プーリおよび前記被駆動プーリに架け渡されて周回走行する無端状のベルトと、
前記駆動モータの停止によって前記駆動プーリが停止された場合に、前記駆動プーリに戻ってくる戻り側ベルトの弛みの少なくとも一部を、前記駆動プーリから送られる送り側ベルトに送り出して前記送り側ベルトの張りを緩める張緩手段と、を有することを特徴とする、
請求項１に記載の遊技台。
【請求項３】
前記張緩手段は、
前記送り側ベルトの張力を調整可能な第１の張力調整手段と、
前記戻り側ベルトを介して前記送り側ベルトの張力を調整可能な第２の張力調整手段と、を有し、
前記第２の張力調整手段は、
前記駆動プーリが停止された場合に、前記戻り側ベルトの弛みの少なくとも一部を、前記送り側ベルトに送り出すことを特徴とする、
請求項２に記載の遊技台。
【請求項４】
前記第２の張力調整手段は、
前記第１の張力調整手段に連動して作動することを特徴とする、
請求項３に記載の遊技台。
【請求項５】
前記移動許容手段は、
前記駆動モータの一方向の回転駆動力のみを伝達可能で、且つ、前記一方向への回転が自由な動力伝達部を有して構成されていることを特徴とする、
請求項１に記載の遊技台。
【請求項６】
前記移動許容手段は、
前記駆動モータによって回転駆動される回転部と、
前記回転部から印加される所定トルク以下の回転駆動力を伝達可能で、且つ、前記所定トルクよりも大きな回転駆動力が加わった場合に前記回転部に対して空転が可能な動力伝達部と、を有して構成されていることを特徴とする、
請求項１に記載の遊技台。
【請求項７】
前記可動体は、
前記駆動モータによって回転駆動される回転体であることを特徴とする、
請求項１〜５のいずれか１項に記載の遊技台。
【請求項８】
前記回転体は、
複数種類の図柄が施されたリール帯と、前記リール帯を支持するリール枠と、を有して構成されていることを特徴とする、
請求項７に記載の遊技台。
【発明の詳細な説明】
【技術分野】
【０００１】
本発明は、スロットマシンやパチンコ遊技機に代表される遊技台に関する。
【背景技術】
【０００２】
従来の遊技台（例えばスロットマシン）は、内部の抽選結果を視覚的に表示するための回転体（一般にはリールやドラム等と称される）と、ステッピングモータなどの駆動モータによって回転体の回転・停止制御を行う駆動装置によって構成される可変表示装置を備えている。
【０００３】
ところで、このような可変表示装置の駆動装置において、いわゆる直動式の駆動装置（回転体を駆動モータで直接駆動する装置）を採用した場合には、十分なトルクを確保するために大容量の駆動モータを適用する必要があり、可変表示装置の大型化、重量増加、コストアップなどが問題となる。
【０００４】
このような従来の問題点を解決する一手段として、例えば特許文献１には、ステッピングモータに駆動プーリを取り付けると共に、リール（回転体）に被駆動プーリを取り付け、駆動プーリと被駆動プーリにシンクロベルトを架けて、リールを回転させるようにした遊技台が開示されている。このような遊技台によれば、直動式の駆動装置を採用した場合に比べ、リールの回転に必要なトルクを減らすことができるため、駆動モータの小型化を図ることができる。
【特許文献１】特開２００３−１９０３８６号公報
【発明の開示】
【発明が解決しようとする課題】
【０００５】
しかしながら、上記特許文献１記載の遊技台においてリールを停止させる場合、ステッピングモータは直ちに回転を停止するのに対して、リールは回転慣性力（イナーシャ力）によって回転し続けようとするため、ステッピングモータによって回転が停止された駆動プーリと、リールと共に回転し続ける被駆動プーリとの間でシンクロベルトに引張り力が作用する。そして、リールの回転慣性力よりもシンクロベルトに作用する引張り力が大きくなったとき、リールはシンクロベルトによって逆方向に回転駆動され、以後、リールの回転慣性力が０になるまでリールが正方向および逆方向に振動を繰り返すことになる。このようなリールの振動は、毎ゲーム繰り返されるため、遊技を楽しむ遊技者にとっては非常に目障りで、遊技性を阻害する一因ともなっていた。
【０００６】
また、従来の遊技台の中には、リールの他に、遊技を盛り上げるための多種多様な可動体（回転運動や直線運動などを行う物体）を備えた遊技台が存在するが、このような可動体においてもリールと事情は同じであり、可動体の停止時における振動が問題となっていた。
【０００７】
本発明は、このような問題を解決するためになされたものであって、可動体の停止時における振動を抑えることができる遊技台を提供することを目的とする。
【課題を解決するための手段】
【０００８】
本発明に係る遊技台は、駆動モータと、前記駆動モータによって駆動される可動体と、前記駆動モータの回転時は、前記駆動モータの回転駆動力を伝達可能で、前記駆動モータの停止時は、前記可動体の慣性力による移動を許容して移動後の位置で前記可動体を停止させる移動許容手段と、を有して構成されている。
【０００９】
本発明に係る遊技台によれば、前記駆動モータの停止時において、移動許容手段によって可動体の慣性力を吸収することができるため、可動体の慣性力に起因する振動を抑えることができる。
【００１０】
なお、前記移動許容手段は、前記駆動モータによって回転駆動される駆動プーリと、前記可動体と共に回転する被駆動プーリと、前記駆動プーリおよび前記被駆動プーリに架け渡されて周回走行する無端状のベルトと、前記駆動モータの停止によって前記駆動プーリが停止された場合に、前記駆動プーリに戻ってくる戻り側ベルトの弛みの少なくとも一部を、前記駆動プーリから送られる送り側ベルトに送り出して前記送り側ベルトの張りを緩める張緩手段と、を有するように構成すれば、可動体の慣性力に起因して発生する送り側ベルトの張りを緩和して、送り側ベルトの引張り力を低減することができる。そのため、可動体の慣性力に起因する振動を抑えることができる。
【００１１】
また、前記張緩手段は、前記送り側ベルトの張力を調整可能な第１の張力調整手段と、前記戻り側ベルトを介して前記送り側ベルトの張力を調整可能な第２の張力調整手段と、を有し、前記第２の張力調整手段は、前記駆動プーリが停止された場合に、前記戻り側ベルトの弛みの少なくとも一部を、前記送り側ベルトに送り出すようにすれば、駆動プーリの駆動時においては、張力の減少する送り側ベルトに第１の張力調整手段によって張力を付与し、駆動プーリの回転駆動力を確実に被駆動プーリに伝達することができると同時に、駆動プーリの停止時においては、張力の増加する送り側ベルトの張りを第２の張力調整手段によって緩和して、送り側ベルトの引張り力を低減することができる。そのため、可動体の慣性力に起因する振動を抑えることができる。
【００１２】
また、前記第２の張力調整手段は、前記第１の張力調整手段に連動して作動するようにすれば、第１および第２の張力調整手段を個別に制御する必要がなく、制御負担を軽減することができる。
【００１３】
また、前記移動許容手段は、前記駆動モータの一方向の回転駆動力のみを伝達可能で、且つ、前記一方向への回転が自由な動力伝達部を有して構成されていれば、駆動モータの停止時に、動力伝達部を回転させることによって可動体の慣性力を吸収することができる上に、可動体が逆方向に移動することを防止することができる。そのため、可動体の慣性力に起因する可動体の振動を抑えることができる。
【００１４】
また、前記移動許容手段は、前記駆動モータによって回転駆動される回転部と、前記回転部から印加される所定トルク以下の回転駆動力を伝達可能で、且つ、前記所定トルクよりも大きな回転駆動力が加わった場合に前記回転部に対して空転が可能な動力伝達部と、を有して構成されていれば、駆動モータの停止時に動力伝達部を回転部に対して空転させることによって可動体の慣性力を吸収することができる。そのため、可動体の慣性力に起因する可動体の振動を抑えることができる。
【００１５】
また、前記可動体は、前記駆動モータによって回転駆動される回転体であれば、回転体（例えば、複数種類の図柄が施されたリール帯と、前記リール帯を支持するリール枠と、を有して構成されているリールなど）の回転開始時や停止時における振動を低減することができる。なお、本発明に係る「可動体」は回転体に限定されるものではなく、可動体は、前記駆動ギヤによって直線往復駆動されるものであってもよい。
【発明の効果】
【００１６】
本発明に係る遊技台は、可動体の停止時における振動を抑えることができるという優れた効果を有する。
【発明を実施するための最良の形態】
【００１７】
以下、図面を用いて、本発明の実施例１および２に係るスロットマシン（遊技台）について詳細に説明する。
【実施例１】
【００１８】
＜全体構成＞
【００１９】
まず、図１を用いて、本実施例１に係るスロットマシン１００の全体構成について説明する。なお、図１はスロットマシン１００の外観斜視図を示したものである。
【００２０】
スロットマシン１００は、略箱状の本体１０１と、この本体１０１の前面開口部に取り付けられた前面扉１０２とを有して構成されている。
【００２１】
スロットマシン１００の本体１０１の中央内部には、外周面に複数種類の図柄が所定コマ数だけ配置されたリールが３個（左リール１１０、中リール１１１、右リール１１２）収納され、各リール１１０〜１１２がスロットマシン１００の内部で回転できるように構成されている。なお、本実施例１では、３個のリールをスロットマシン１００の中央内部に備えているが、リールの数やリールの設置位置はこれに限定されるものではない。
【００２２】
リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、これらの各リール１１０〜１１２を有して構成される可変表示装置６０２については後述する。
【００２３】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２４】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２５】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２６】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００２７】
ドアキー１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例１では発光可能な受皿を採用しており、以下受皿ランプと呼ぶこともある。
【００２８】
上部ランプ１５０、サイドランプ１５１、中央ランプ１５２、腰部ランプ１５３、下部ランプ１５４、受皿ランプ１５６は、遊技を盛り上げるための装飾用のランプである。演出装置１５７は、例えば開閉自在な扉（シャッター）を備えた扉装置１６３が前面に取り付けられた液晶表示装置１５８を含み、この演出装置１５７には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００２９】
＜制御部＞
【００３０】
次に、図２を用いて、このスロットマシン１００の制御部の回路構成について詳細に説明する。
【００３１】
スロットマシン１００の制御部は、遊技の中枢部分を制御する主制御部３００と、主制御部３００より送信されたコマンドに応じて各種機器を制御する副制御部４００と、演出装置１５７を制御する表示制御部５００と、によって構成されている。
【００３２】
＜主制御部＞
【００３３】
まず、スロットマシン１００の主制御部３００について説明する。
【００３４】
マイクロプロセッサ（以下、ＭａｉｎＣＰＵと称す）３１０は、スロットマシン１００における制御の中枢となるものであり、バス３７０を介して、周辺部との間で制御信号やデータの受渡しが行われる。
【００３５】
乱数発生器３１１は、乱数を発生するもので、複数のカウンタ、クロック発振器、分周器およびラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。乱数値は、複数種類存在し、それぞれ処理内容に応じて使用される。
【００３６】
また、ＭａｉｎＣＰＵ３１０には、入力インターフェース３６０およびバス３７０を介して、ストップボタン１３７〜１３９のいずれかが押された場合、どのストップボタンが押されたかを検知する左ストップボタンセンサ３４１、中ストップボタンセンサ３４２、および、右ストップボタンセンサ３４３と、スタートレバー１３５の操作を検知するスタートレバーセンサ３４４と、メダル投入ボタン１３０、１３１のいずれかが押下された場合、どのメダル投入ボタンが押されたかを検知する１枚投入ボタンセンサ３４５、および、３枚投入ボタンセンサ３４７と、精算ボタン１３２の押下に伴って動作する精算ボタンスイッチ３４８と、メダル投入口１３４より投入されたメダルを検知する第１メダルセンサ（メダルセンサ１）３４９および第２メダルセンサ（メダルセンサ２）３５０と、メダルの払出しを検知する第1払出しセンサ（払出しセンサ１）３５１および第２払出しセンサ（払出しセンサ２）３５２と、左リール１１０、中リール１１１、右リール１１２の各リールの回転方向の図柄位置を検出するための左リールインデックスセンサ３５３、中リールインデックスセンサ３５４、および、右リールインデックスセンサ３５５がそれぞれ接続されている。
【００３７】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。本実施例１では、このようにＲＯＭおよびＲＡＭを採用しているが、他の記憶手段も採用可能であることはいうまでもない。この点は後述する副制御部においても同様である。
【００３８】
さらに、ＭａｉｎＣＰＵ３１０には、出力インターフェース３３２およびバス３７０を介して、左リール１１０、中リール１１１、右リール１１２の各リールの回転駆動を行うモータ（図示省略）を制御するための左リールモータ駆動部３２１、中リールモータ駆動部３２２、および、右リールモータ駆動部３２３と、メダル払出装置（いわゆるホッパー：図示省略）を制御するホッパー駆動部３３１と、遊技ランプ３８０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３９０（払出枚数表示器１２５、遊技回数表示器１２６、貯留枚数表示器１２７等）がそれぞれ接続されている。
【００３９】
また、ＭａｉｎＣＰＵ３１０は、出力インターフェース３３２を介して、各種の主制御コマンドを副制御部４００の入力インターフェース４３０へ送信する。
【００４０】
＜副制御部＞
【００４１】
次に、同図を用いて、スロットマシン１００の副制御部４００について説明する。
【００４２】
マイクロプロセッサ（以下、ＳｕｂＣＰＵと称す）４１０は、主制御部３００から送信された各種コマンドを入力インターフェース４３０およびバス４７０を介して受信し、受信したコマンドの内容に応じて副制御部４００全体を制御する。
【００４３】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００４４】
演出用発光表示部４５０は、上部ランプ１５０、サイドランプ１５１、中央ランプ１５２、腰部ランプ１５３、下部ランプ１５４、受け皿ランプ１５６をまとめて表したもので、出力インターフェース４２０およびバス４７０を介してＳｕｂＣＰＵ４１０に接続され、このＳｕｂＣＰＵ４１０の指示に従って点灯／点滅／消灯する。
【００４５】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカおよび中央スピーカ）４６２から音として出力される。  また、ＳｕｂＣＰＵ４１０は、出力インターフェース４４０を介して、各種制御データを表示制御部５００へ送信する。
【００４６】
＜表示制御部＞
【００４７】
次に、同図を用いて、スロットマシン１００の表示制御部５００について説明する。
【００４８】
マイクロプロセッサ（以下、第２のＳｕｂＣＰＵと称す）５１０は、副制御部４００から送信された各種制御データを入力インターフェース５３０およびバス５７０を介して受信し、受信したコマンドの内容に応じて液晶表示装置（ＬＣＤ）１５８を制御する。
【００４９】
ＲＯＭ５１１は、表示制御部５００全体を制御するためのプログラムやデータ等を記憶する記憶手段の一つである。
【００５０】
ＶＤＰ５５０は、第２のＳｕｂＣＰＵ５１０の指示に従って、出力インターフェース５５３を介して液晶表示装置１５７に表示データ等を送信する。なお、ＲＯＭ５５２は、表示データ等を記憶する記憶手段の一つである。
【００５１】
＜可変表示装置＞
【００５２】
図３はリールボックス６００内に３つの可変表示装置６０２を収容した様子を示す外観斜視図である。
【００５３】
各可変表示装置６０２は、同図に示されるように、複数の金属板によって構成されたリールボックス６００に収容され、スロットマシン１００の中央内部に配設される。
【００５４】
図４は可変表示装置６０２を構成する部材を分解して示した分解斜視図である。また、図５（ａ）は可変表示装置６０２を組み立てた状態を示す略示側面図であり、同図（ｂ）はその略示正面図である。なお、図５（ａ）および（ｂ）では、説明の都合上、一部の部材の図示を省略している。
【００５５】
図４に示されるように、この可変表示装置６０２は、リール１１０（１１１、１１２）と、このリールを回転駆動する駆動装置６０４と、リール１１０（１１１、１１２）の回転位置を検出する回転検出装置６０６と、リール１１０（１１１、１１２）の内部から各リール１１０（１１１、１１２）に施された図柄を照明するリール照明装置６０８と、を有して構成されている。
【００５６】
＜リール＞
【００５７】
リール１１０（１１１、１１２）は、薄肉円筒状のリール帯６１０と、このリール帯６１０の左側側面に取り付けられ、リール帯６１０の左側側面を支持する第１リール枠６１２と、リール帯６１０の右側側面に取り付けられ、リール帯６１０の右側側面を支持する第２リール枠６１４によって構成されている。
【００５８】
図６は各リール１１０〜１１２のリール帯６１０に施される図柄の配列を平面的に展開して示した図である。
【００５９】
リール帯６１０には、複数種類の図柄が所定コマ数（本実施例１では、番号０〜２０の２１コマ）だけ配置される。なお、同図の左端に示した番号０〜２０は、リール帯６１０上の図柄の配置位置を示す番号である。例えば、本実施例１では、左リール１１０のリール帯６１０の番号１のコマには「赤セブン」の図柄、中リール１１１のリール帯６１０の番号１のコマには「リプレイ」の図柄、右リール１１２のリール帯６１０の番号１のコマには「ベル」の図柄、がそれぞれ配置されている。
【００６０】
図４に戻って、第１リール枠６１２は、円環状の枠部６１２Ａと、この枠部６１２Ａを基端として枠部６１２Ａの中心部に向けて延出形成された４本の支持部６１２Ｂと、この４本の支持部６１２Ｂの先端部を基端としてリール帯６１０に向けて突出形成された有底円筒形状の取付部６１２Ｃによって構成されている。また、４本の支持部６１２Ｂのうちの１本には、板状の遮光片６１２Ｄがリール帯６１０に向けて突出形成されている。
【００６１】
第２リール枠６１４は、この第１リール枠６１２の枠部６１２Ａと略同一径の円環状の部材からなり、リール帯６１０を挟んで第１リール枠６１２の反対側に配設される。
【００６２】
＜駆動装置＞
【００６３】
駆動装置６０４は、ブラケット６１７と、このブラケット６１７に固定される駆動モータ６１６と、この駆動モータ６１６のモータ軸６１６Ａに取り付けられる駆動プーリ６１８と、軸受６１９およびワッシャ６２１を介して、ブラケット６１７の回転軸６１７Ｂに回転可能に支持される被駆動プーリ６２０と、駆動プーリ６１８および被駆動プーリ６２０に掛け渡される無端状のタイミングベルト６２２と、ブラケット６１７によってスライド可能に支持される可動ベース６２４と、この可動ベース６２４に配設されるテンションローラ６２６およびベルト押さえローラ６２８と、を有して構成されている。
【００６４】
ブラケット６１７は、長円形状のベース６１７Ａと、このベース６１７Ａに立設された回転軸６１７Ｂと、ベース６１７Ａの短手方向両側から回転軸６１７Ｂと同方向に延設された第１支持アーム６１７Ｃおよび第２支持アーム６１７Ｄと、これら第１支持アーム６１７Ｃおよび第２支持アーム６１７Ｄの各先端部近傍に形成された貫通孔６１７Ｅに挿入される２つの固定ピン６１７Ｆと、ワッシャ６１７Ｇを介して、固定ピン６１７Ｆを第１支持アーム６１７Ｃおよび第２支持アーム６１７Ｄに固定するための２つの留め金６１７Ｈと、によって構成されている。なお、このブラケット６１７は、複数の取付ネジ６３０によって板状の金属枠体６３２に固定支持される（図７参照）。
【００６５】
駆動モータ６１６は、本実施例では、ステッピングモータによって構成されている。なお、本発明に係る「駆動モータ」はステッピングモータに限定されるものではなく、例えば、ステッピングモータの他に、ＡＣモータ、ＤＣモータ、サーボモータなどを適用することもできる。
【００６６】
図７は駆動装置６０４およびリール回転装置６０６が金属枠体６３２に固定された状態を示す外観斜視図である。また、図８（ａ）は図７における駆動装置６０４およびリール回転装置６０６を正面から見た略示正面図であり、同図（ｂ）は（ａ）におけるＣ−Ｃ線に沿う略示側断面図である。
【００６７】
図７および図８に示されるように、駆動モータ６１６は、ブラケット６１７の回転軸６１７Ｂの下方に、第１支持アーム６１７Ｃおよび第２支持アーム６１７Ｄに挟まれるようにして配設される。
【００６８】
また、駆動プーリ６１８は、軸方向に長い円筒形状の部材からなり、駆動モータ６１６のモータ軸６１６Ａに嵌合・固定される。この駆動プーリ６１８によって駆動される被駆動プーリ６２０は、径方向に長い円筒形状の部材からなり、駆動モータ６１７の上方に位置する回転軸６１７Ｂに回転可能に支持される。
【００６９】
タイミングベルト６２２は、これら駆動プーリ６１８および被駆動プーリ６２０の外周部に掛け渡され、駆動プーリ６１８の回転駆動力によって図８における矢印Ａ方向に周回走行される。また、駆動プーリ６１８から被駆動プーリ６２０の方向に送られる送り側ベルト６２２Ｂの外側には、可動ベース６２４に支持された円筒形状のテンションローラ６２６が配置されていると共に、被駆動プーリ６２０から駆動プーリ６１８に戻ってくる戻り側ベルト６２２Ａの外側には、可動ベース６２４に支持された円筒形状のベルト押さえローラ６２８が配置されている。
【００７０】
可動ベース６２４は、テンションローラ６２６を支持する第１支持軸６２４Ａと、ベルト押さえローラ６２８を支持する第２支持軸６２４Ｂと、を備えている。
【００７１】
また、この可動ベース６２４の両端部近傍には、２つの案内溝６２４Ｃが形成されており（図４参照）、この案内溝６２４Ｃは、ブラケット６１７の第１支持アーム６１７Ｃおよび第２支持アーム６１７Ｄに固定される固定ピン６１７Ｆに挿通される。これにより、可動ベース６２４は、案内溝６２４Ｃの長手方向の長さの範囲内で、ブラケット６１７に対して水平方向にスライド可能となっており、さらに、この可動ベース６２４の移動に伴って、テンションローラ６２６およびベルト押さえローラ６２８が水平方向にスライド可能な構造となっている。
【００７２】
また、可動ベース６２４の一端側下面には、バネ止め６２４Ｄが設けられている。このバネ止め６２４Ｄと、ブラケット６１７の一方の固定ピン６１７Ｆとの間には、バネ６３４が縮設されており、可動ベース６２４は、初期状態において、バネ６３４の付勢力によって図８の左方向に付勢されている。この結果、テンションローラ６２６は、送り側ベルト６２２Ｂを外側から内側に押圧する方向に移動されるため、送り側ベルト６２２Ｂは、初期状態において、テンションローラ６２６によってバネ６３４の付勢力に応じた張力を受ける。一方、ベルト押さえローラ６２８は、戻り側ベルト６２２Ａから離れる方向に移動されるため、戻り側ベルト６２６Ａは、初期状態において、ベルト押さえローラ６２８によって張力を受けることがない。
【００７３】
なお、可動ベース６２４は、バネ６３４の付勢力に抗して水平方向にスライド可能であるため、可動ベース６２４をバネ６３４の付勢力に抗する方向（図８の右方向）にスライドさせることにより、テンションローラ６２６によって送り側ベルト６２２Ｂに付与される張力を初期状態の張力よりも減少させることが可能であると共に、ベルト押さえローラ６２８によって戻り側ベルト６２２Ａを押さえることが可能となっている。すなわち、可動ベース６２４を水平方向両側にスライドさせることによって、テンションローラ６２６で送り側ベルト６２２Ｂの張力を調整したり、ベルト押さえローラ６２８と戻り側ベルト６２２Ａとを接触・離間させ、接触時には戻り側ベルト６２２Ａを介して送り側ベルト６２２Ｂの張力を調整することが可能である。
【００７４】
＜回転検出装置＞
【００７５】
回転検出装置６０６は、投光部と受光部からなる光学式のインデックスセンサ６０６Ａと、このインデックスセンサ６０６Ａが取り付けられる取付台座６０６Ｂによって構成されており、インデックスセンサ６０６Ａの投光部と受光部の間を、第１リール枠６１２に設けられた遮光片６１２Ｄが通過するように構成されている。なお、取付台座６０６Ｂは、取付ネジ６３０によって金属枠体６３２に固定される。
【００７６】
スロットマシン１００は、この回転検出装置６０６の検出結果に基づいてリール１１０〜１１２上の図柄の回転方向の位置を判断し、目的とする図柄が入賞ライン１１４上に表示されるようにリール１１０〜１１２を停止させる。
【００７７】
＜リール照明装置＞
【００７８】
図４に戻って、リール照明装置６０８は、一本の冷陰極管を中央部に配置した照明基板６０８Ｂと、この照明基板６０８Ｂを取り付けた状態で、冷陰極管から出射される光を所定の方向に導くための導光板を含んで構成された照明ケース６０８Ｃと、照明基板６０８Ｂの裏面を覆う裏面カバー６０８Ａとで構成されている。なお、照明ケース６０８Ｃは、照明基板６０８Ｂおよび裏面カバー６０８Ａが取り付けられた状態で、取付ネジ６３０によって金属枠体６３２に固定される。
【００７９】
次に、可変表示装置６０２の作用について説明する。
【００８０】
駆動モータ６１６のモータ軸６１６Ａが回転すると、このモータ軸６１６Ａに固定された駆動プーリ６１８が回転駆動されると共に、この駆動プーリ６１８の回転駆動力によってタイミングベルト６２２が周回走行される。そして、このタイミングベルト６２２の周回走行により、タイミングベルト６２２が掛け渡された被駆動プーリ６２０が回転駆動されると共に、この被駆動プーリ６２０に連結された各リール１１０〜１１２の第１リール枠６１２が回転駆動される。この結果、第１リール枠６１２に固定されたリール帯６１０が回転駆動されることになる。
【００８１】
すなわち、駆動モータ６１６の動力は、モータ軸６１６Ａ→駆動プーリ６１８→タイミングベルト６２２→被駆動プーリ６２０→第１リール枠６１２→リール帯６１０の順で伝達される。
【００８２】
図９（ａ）〜（ｆ）は、駆動モータ６１６の停止時における、駆動プーリ６１８、被駆動プーリ６２０、タイミングベルト６２２、テンションローラ６２６、および、ベルト押さえローラ６２８の様子を模式的に示した図である。
【００８３】
本実施例１に係るスロットマシン１００では、駆動モータ６１６が停止すると、モータ軸６１６Ａの回転が停止し、これによって駆動プーリ６１８の回転が停止される。一方、被駆動プーリ６２０は、駆動モータ６１６の停止後も自身の慣性力（イナーシャ力）によって回転をし続ける（図９（ａ）参照）。
【００８４】
まず、送り側ベルト６２２Ｂについて考えると、駆動プーリ６１８の回転が停止され、駆動プーリ６１８からの送り側ベルト６２２Ｂの送り出しは中止されるが、被駆動プーリ６２０の回転に伴って送り側ベルト６２２Ｂが僅かに巻き取られるため、送り側ベルト６２２Ｂの張力は増加することになる。この結果、送り側ベルト６２２Ｂが、やや弛んだ状態から張った状態となるため、テンションローラ６２６はタイミングベルト６２２から離れる方向に所定の距離Ｘだけ移動されると共に、このテンションローラ６２６の動きに連動して、ベルト押さえローラ６２８がテンションローラ６２６と同じ方向に同じ距離Ｘだけ移動する（同図（ｂ）参照）。
【００８５】
次に、戻り側ベルト６２２Ａについて考えると、駆動プーリ６１８の回転が停止され、駆動プーリ６１８の戻り側ベルト６２２Ａの巻き取りは中止されるが、被駆動プーリ６２０の回転に伴って戻り側ベルト６２２Ａが僅かに送り出されるため、戻り側ベルト６２２Ａの張力は減少することになる。この結果、戻り側ベルト６２２Ａは、張った状態から弛んだ状態となり、被駆動プーリ６２０から駆動プーリ６１８へと弛みながら移動するが、ベルト押さえローラ６２８によって押さえられている部位は弛むことができない。これにより、戻り側ベルト６２２Ａの弛みが駆動プーリ６１８と接する部分に集約されて、戻り側ベルト６２２Ａの弛みの一部が「歯飛び」となって現れる。
【００８６】
このようにして戻り側ベルト６２２Ａと駆動プーリ６１８の接触部分で発生した歯飛びは、ベルト押さえローラ６２８の移動と共に、送り側ベルト６２２Ｂの方向に向かって送り出され（同図（ｃ）参照）、駆動プーリ６１８を乗り越え（同図（ｄ）参照）、送り側ベルト６２２Ｂに移動する。
【００８７】
このような歯飛びの移動に伴って、送り側ベルト６２２Ｂの張力が減少し、送り側ベルト６２２Ｂが張った状態から弛んだ状態となるため、テンションローラ６２６はタイミングベルト６２２に近づく方向に移動されると共に、このテンションローラ６２６の動きに連動して、ベルト押さえローラ６２８がテンションローラ６２６と同じ方向に同じ距離だけ移動する（同図（ｅ）参照）。
【００８８】
最終的に、テンションローラ６２６およびベルト押さえローラ６２８は、初期状態の位置（同図（ａ）に示される位置）に移動し、被駆動プーリ６２０が完全に停止される。この結果、リール１１０（１１１、１１２）は、駆動モータ６１６の停止後も慣性力による回転を継続し、駆動モータ６１６が停止された位置から僅かに回転した位置で停止される。
【００８９】
このように、本実施例１に係るスロットマシン１００は、駆動モータ６１６によって回転駆動される駆動プーリ６１８と、可動体（本実施例ではリール１１０（１１１、１１２））と共に回転する被駆動プーリ６２０と、駆動プーリ６１８および被駆動プーリ６２０に架け渡されて周回走行する無端状のベルト（本実施例ではタイミングベルト）６２２と、駆動モータ６１６の停止によって駆動プーリ６１８が停止された場合に、駆動プーリ６１８に戻ってくる戻り側ベルト６２２Ａの弛みの少なくとも一部（歯飛び）を、駆動プーリ６１８から送られる送り側ベルト６２２Ｂに送り出して送り側ベルト６２２Ｂの張りを緩める張緩手段（本実施例では、テンションローラ６２６およびベルト押さえローラ６２８）と、を有し、リール１１０（１１１、１１２）の慣性力による移動を許容して移動後の位置でリール１１０（１１１、１１２）を停止させるため、リール１１０（１１１、１１２）の停止時における振動を低減することができる。
【００９０】
なお、本発明に係る「ベルト」はタイミングベルトに限定されるものではなく、例えば、噛合い伝導を行う歯付きベルトや、摩擦伝導を行う平ベルト、Ｖベルトなどを適用することができる。また、上記実施例では、ベルトに生じる弛みの一部を「歯飛び」と表現したが、本発明はこれに限定されるものではなく、「飛び」や「山飛び」などと称されるものも含まれる。
【００９１】
図１０（ａ）〜（ｃ）は、比較例として、従来のスロットマシン（図示省略）に採用されている、駆動プーリと、被駆動プーリと、タイミングベルトと、テンションローラの様子を模式的に示した図であり、上記図９に対応するものである。
【００９２】
このスロットマシンは、駆動プーリ６５２と、被駆動プーリ６５４と、タイミングベルト６５６と、テンションローラ６５８と、を有して構成されている。
【００９３】
このスロットマシンでは、駆動モータ（図示省略）が停止すると、駆動プーリ６５２の回転が停止される。一方、被駆動プーリ６５４は、駆動モータの停止後も自身の慣性力によって回転をし続ける（図１０（ａ）参照）。
【００９４】
まず、送り側ベルト６５６Ｂについて考えると、駆動プーリ６５２の回転が停止され、駆動プーリ６５２からの送り側ベルト６５６Ｂの送り出しは中止されるが、被駆動プーリ６５４の回転に伴って送り側ベルト６５６Ｂが僅かに巻き取られるため、送り側ベルト６５６Ｂの張力は増加することになる。この結果、送り側ベルト６５６Ｂが、やや弛んだ状態から張った状態となるため、テンションローラ６５８はタイミングベルト６５６から離れる方向に移動される（同図（ｂ）参照）。
【００９５】
次に、戻り側ベルト６５６Ａについて考えると、駆動プーリ６５２の回転が停止され、駆動プーリ６５２の戻り側ベルト６５６Ａの巻き取りは中止されるが、被駆動プーリ６５４の回転に伴って戻り側ベルト６５６Ａが僅かに送り出されるため、戻り側ベルト６５６Ａの張力は減少することになる。この結果、戻り側ベルト６５６Ａは、張った状態から弛んだ状態となり、被駆動プーリ６５４から駆動プーリ６５２へと弛みながら移動する。しかしながら、この例では、戻り側ベルト６５６Ａの弛みを阻害するような部材（上記ベルト押さえローラ６２８に該当する部材）がないため、戻り側ベルト６５６Ａは、駆動プーリ６５２と被駆動プーリ６５４との間で円弧状に外側へ弛み（同図（ｂ）参照）、戻り側ベルト６５６Ａに歯飛びが生じることは無い。
【００９６】
このとき、本実施例１に係るスロットマシン１００では、上述の通り、戻り側ベルト６２２Ａの歯飛びを送り側ベルト６２２Ｂに送り出すことによって、増加した送り側ベルトの張力を緩和することができるが、従来のスロットマシンでは、戻り側ベルト６５６Ａにおいて歯飛びが生じることがなく、増加した送り側ベルト６５６Ｂの張力を緩和することができないため、送り側ベルト６５６Ｂによって被駆動プーリ６５４が逆方向に引っ張られて回転駆動される（同図（ｃ）参照）。
【００９７】
この被駆動プーリ６５４の逆方向への回転に伴って、今度は戻り側ベルト６５６Ａの張力が増大するため、被駆動プーリ６５４が戻り側ベルト６５６Ａによって引っ張られ正方向に回転駆動される。以降、被駆動プーリ６５４は、その慣性力が収束するまで、送り側ベルト６５６Ｂによる逆方向への僅かな回転と、戻り側ベルト６５６Ａによる正方向への僅かな回転を繰り返すため、被駆動プーリ６５４によって駆動されるリール（図示省略）が振動することになる。
【００９８】
次に、本発明の発明者が行った実験について説明する。
【００９９】
図１１は本実施例１に係るスロットマシン１００においてリールを停止した場合のリール回転数の変化を示したグラフであり、図１２は制振対策を施していない従来のスロットマシンにおいてリールを停止した場合のリール回転数の変化を示したグラフである。なお、各グラフの縦軸はリールの回転数（１秒当たりの回転数）であり、横軸は時間軸（Ｔ＝４０ミリ秒）である。
【０１００】
なお、本実験においては、スロットマシン１００および従来のスロットマシン共に、駆動モータとしてＰＭステッピングモータを使用した。
【０１０１】
本実験の結果、従来のスロットマシンでは、図１２に示されるように、駆動モータが停止された後、リールの回転数がプラス側とマイナス側との間で大きく変動し、リールが複数回大きく振動しているのが分かる。また、駆動モータが停止されてから、リールの回転数が０に収束してリールが完全に停止するまでの時間（リールの振動の減衰時間）は約１６０ｍｓであることが確認された。
【０１０２】
一方、本実施例１に係るスロットマシン１００では、図１１に示されるように、駆動モータが停止された後、リールの回転数がプラス側とマイナス側との間で僅かに変動しているが、制振対策を施していない従来のスロットマシンに比べ、振動の振幅や振動の回数が減り、振動の減衰率が大幅に減少しているのが分かる。また、リールの振動の減衰時間は約４０ｍｓであり、制振対策を施していない従来のスロットマシンに比べ、約１２０ｍｓ短縮された。
【０１０３】
＜主制御部メイン処理＞
【０１０４】
次に、図１３を用いて、主制御部３００のメイン処理について説明する。なお、同図は、主制御部３００のメイン処理の流れを示すフローチャートである。
【０１０５】
遊技の基本的制御は、主制御部３００のＭａｉｎＣＰＵ３１０が中心になって行い、電源断等を検知しないかぎり、ＭａｉｎＣＰＵ３１０が同図の主制御部メイン処理を繰り返し実行することにより遊技が進行することになる。
【０１０６】
スロットマシン１００に電源が投入されると、まず、各種の初期化処理が実行され、その後、主制御部メイン処理のステップＳ１０１では、メダル投入に関する処理を行う。ここでは、メダルの投入の有無をチェックし、投入されたメダルの枚数に応じて入賞ライン表示ランプ１２０を点灯させる。
【０１０７】
ステップＳ１０２では、遊技のスタート操作に関する処理を行う。ここでは、スタートレバー１３５が操作されたか否かのチェックを行い、スタート操作されたと判断した場合は、投入されたメダル枚数を確定する。
【０１０８】
ステップＳ１０３では、有効な入賞ライン１１４を確定する。
【０１０９】
ステップＳ１０４では、乱数発生器３１７で発生させた乱数を取得する。
【０１１０】
ステップＳ１０５では、ステップＳ１０４で取得した乱数値と、ＲＯＭ３１２に格納されている入賞役抽選テーブルを用いて、入賞役の内部抽選を行う。
【０１１１】
ステップＳ１０６では、リール回転開始処理により、全リール１１０〜１１２の回転を開始させる。この際、ステップＳ１０５の内部抽選結果等に基づき、停止位置データ選択テーブルを参照し、いずれか一つのリール停止制御テーブルを選択する。
【０１１２】
ステップＳ１０７では、リール停止制御処理により、押されたストップボタン１３７〜１３９に対応するリール１１０〜１１２の回転を停止させる。この際、各リール１１０〜１１２を、ステップＳ１０６で選択したリール停止制御テーブルに基づいて停止させる。
【０１１３】
ステップＳ１０８では、ストップボタン１３７〜１３９が押されることによって停止した図柄の入賞判定を行う。ここでは、有効化された入賞ライン１１４上に、内部当選した入賞役またはフラグ持越し中の入賞役に対応する入賞図柄組合せが揃った（表示された）場合にその入賞役に入賞したと判定する。例えば、有効化された入賞ライン１１４上に、「リプレイ−リプレイ−リプレイ」が揃っていたならばリプレイ入賞と判定する。
【０１１４】
ステップＳ１０９では、メダル払出処理を行う。このメダル払出処理では、払い出しのある何らかの入賞役に入賞していれば、その入賞役に対応する枚数のメダルを払い出す。
【０１１５】
ステップＳ１１０では、遊技状態制御処理を行う。この遊技状態制御処理では、遊技状態を移行するための制御が行われる。
【０１１６】
以上説明したように、本実施例１に係るスロットマシン１００は、駆動モータ６１６と、駆動モータ６１６によって駆動される可動体（リール１１０（１１１、１１２））と、駆動モータ６１６の回転時は、駆動モータ６１６の回転駆動力を伝達可能で、駆動モータ６１６の停止時は、可動体１１０（１１１、１１２）の慣性力による移動を許容して移動後の位置で可動体１１０（１１１、１１２）を停止させる移動許容手段（本実施例では、駆動プーリ６１８、被駆動プーリ６２０、タイミングベルト６２２、テンションローラ６２６、ベルト押さえローラ６２８）と、を有して構成されている。
【０１１７】
このようなスロットマシン１００によれば、駆動モータ６１６の停止時において、移動許容手段によって可動体１１０（１１１、１１２）の慣性力を吸収することができるため、可動体１１０（１１１、１１２）の慣性力に起因する振動を抑えることができる。
【０１１８】
特に、移動許容手段は、駆動モータ６１６によって回転駆動される駆動プーリ６１８と、可動体１１０（１１１、１１２）と共に回転する被駆動プーリ６２０と、駆動プーリ６１８および被駆動プーリ６２０に架け渡されて周回走行する無端状のベルト（本実施例ではタイミングベルト）６２２と、駆動モータ６１６の停止によって駆動プーリ６１８が停止された場合に、駆動プーリ６１８に戻ってくる戻り側ベルト６２２Ａの弛みの少なくとも一部を、駆動プーリ６１８から送られる送り側ベルト６２２Ｂに送り出して送り側ベルト６２２Ｂの張りを緩める張緩手段（本実施例ではテンションローラ６２６およびベルト押さえローラ６２８）と、を有するため、可動体１１０（１１１、１１２）の慣性力に起因して発生する送り側ベルト６２２Ｂの張りを緩和して、送り側ベルト６２２Ｂの引張り力を低減することができる。そのため、可動体１１０（１１１、１１２）の慣性力に起因する振動を抑えることができる。
【０１１９】
また、張緩手段は、送り側ベルト６２２Ｂの張力を調整可能な第１の張力調整手段（本実施例ではテンションローラ）６２６と、戻り側ベルト６２６Ａを介して送り側ベルト６２２Ｂの張力を調整可能な第２の張力調整手段（本実施例ではベルト押さえローラ）６２８と、を有し、第２の張力調整手段６２８は、駆動プーリ６１８が停止された場合に、戻り側ベルト６２６Ａの弛みの少なくとも一部を、送り側ベルト６２６Ｂに送り出すため、駆動プーリ６１８の駆動時においては、張力の減少する送り側ベルト６２６Ａに第１の張力調整手段６２６によって張力を付与し、駆動プーリ６１８の回転駆動力を確実に被駆動プーリ６２０に伝達することができると同時に、駆動プーリ６１８の停止時においては、張力の増加する送り側ベルト６２２Ｂの張りを第２の張力調整手段６２８によって緩和して、送り側ベルト６２２Ｂの引張り力を低減することができる。そのため、可動体１１０（１１１、１１２）の慣性力に起因する振動を抑えることができる。
【０１２０】
また、第２の張力調整手段６２８は、第１の張力調整手段６２６に連動して作動するため、第１および第２の張力調整手段６２６、６２８を個別に制御する必要がなく、制御負担を軽減することができる。なお、上記実施例では、テンションローラ６２６とベルト押さえローラ６２８を、可動ベース６２４を介して一体的に駆動する例を示したが、本発明はこれに限定されるものではなく、テンションローラ６２６とベルト押さえローラ６２８を、それぞれ異なる手段で駆動してもよい。
【０１２１】
したがって、例えば、図１４（ａ）に示されるように、テンションローラ６２６を、バネ６７０による付勢力を用いてタイミングベルト６２２側に付勢すると共に、ベルト押さえローラ６２８を、ソレノイド６７２を用いて駆動してもよい。なお、この場合、バネ６７０による付勢力を調整することによって、送り側ベルト６２２Ｂの張力を変動させることができると共に、ソレノイド６７２によるベルト押さえローラ６２８の移動量を調整することによって、戻り側ベルト６２２Ａを介して送り側ベルト６２２Ｂの張力を変動させることもできる。
【０１２２】
また、同図（ｂ）に示されるように、同図（ａ）の構成に対して、さらにテンションセンサ６７４を備えると共に、このテンションセンサ６７４によって送り側ベルト６２２Ｂの張力を検出し、検出された送り側ベルト６２２Ｂの張力に基づいてソレノイド６７２を駆動し、戻り側ベルト６２２Ａを介して送り側ベルト６２２Ｂの張力を変動させてもよい。なお、本発明は、このような構成に限定されるものではなく、例えば、同図（ｂ）の構成からテンションセンサ６７４を削減した上で、駆動モータ６１６を停止させるタイミングでソレノイド６７２を駆動し、戻り側ベルト６２２Ａを介して送り側ベルト６２２Ｂの張力を変動させてもよい。
【０１２３】
さらに、上記実施例では、ベルト押さえローラ６２８をタイミングベルト６２２に対して接触・離間可能に構成したが、同図（ｃ）に示されるように、テンションローラ６２６およびベルト押さえローラ６２８の両者をタイミングベルト６２２側に付勢する付勢手段６２９を備え、ベルト押さえローラ６２８をタイミングベルト６２２に常時、接触させてもよい。なお、この例では、テンションローラ６２６とベルト押さえローラ６２８が連動して移動することになるが、付勢手段６２９がバネを有しているため、バネの付勢力を調整することによって、テンションローラ６２６とベルト押さえローラ６２８の移動量を異ならせることができ、例えば、テンションローラ６２６の移動量よりもベルト押さえローラ６２８の移動量を小さくすることができる。
【０１２４】
図１５（ａ）および（ｂ）はテンションローラとベルト押さえローラの他の実施例を示した図であり、（ａ）はテンションローラ、ベルト押さえローラ、および、これらを連結する連結部材の略示側面図、（ｂ）は、その略示平面図である。また、同図（ｃ）および（ｄ）は同図（ａ）および（ｂ）の作動の様子を示した図であり、（ｃ）は作動時におけるテンションローラ、ベルト押さえローラ、および、連結部材の略示側面図、（ｄ）は、その略示平面図である。
【０１２５】
同図に示されるように、テンションローラ６２６は、支点Ｏ１を中心として回動可能な棒状の第１連結部材６８２に連結され、ベルト押さえローラ６８０は、一端が第１連結部材６８２の他端に回動可能に連結された棒状の第２連結部材６８４の他端に連結されている。
【０１２６】
この例では、テンションローラ６２６が同図（ｃ）における矢印Ｂ方向に移動された場合、第１連結部材６８２が支点Ｏ１を中心として回動される。そして、この第１連結部材６８２の回動に伴って、第２連結部材６８４がベルト押さえローラ６８０を図中の矢印Ｃ方向に駆動し、ベルト押さえローラ６２８がタイミングベルト６２２の内側に押圧される。
【０１２７】
上記実施例では、テンションローラ６２６およびベルト押さえローラ６２８をタイミングベルト６２２の外側に配設し、タイミングベルト６２２を外側から押圧する例を示したが、この例のように、ベルト押さえローラ６８０をタイミングベルト６２２の内側に配設し、タイミングベルト６２２を内側から押圧してもよい。また、同様に、テンションローラ６２６をタイミングベルト６２２の内側に配設し、タイミングベルト６２２を内側から押圧してもよい。
【０１２８】
また、本発明に係る「第２の張力調整手段」は、上記実施例に係るベルト押さえローラに限定されるものではなく、例えば、図１６（ａ）および（ｂ）に示されるようなガイドレールを適用することもできる。
【０１２９】
なお、図１６（ａ）は本発明に係る第２の張力調整手段として、平板状のガイドレールを適用した例を示した略示平面図であり、同図（ｂ）は本発明に係る第２の張力調整手段として、タイミングベルトに沿うように曲げ加工されたガイドレールを適用した例を示した略示平面図である。
【０１３０】
図１６（ａ）に示されるガイドレール６９０は、平板状の部材からなり、タイミングベルト６２２の戻り側ベルト６２２Ａの外側に沿って配設されている。
【０１３１】
この例では、駆動プーリ６１８の停止によって戻り側ベルト６２２Ａが張った状態から弛んだ状態となり、戻り側ベルト６２２Ａは、被駆動プーリ６２０から駆動プーリ６１８へと弛みながら移動するが、ガイドレール６９０によって押さえられている部位は弛むことができない。これにより、戻り側ベルト６２２Ａの弛みが駆動プーリ６１８と接する部分に集約されて、戻り側ベルト６２２Ａの弛みの一部が歯飛びとなって現れる。そして、この歯飛びを、送り側ベルト６２２Ｂの方向へ送り出すことによって送り側ベルト６２２Ｂの張力を緩和して被駆動プーリ６２０の振動を防止する。
【０１３２】
また、同図（ｂ）に示されるガイドレール６９２は、平板状の第１ガイドレール６９２Ａと、タイミングベルト６２２の走行路に沿うような形状に曲げ加工された第２ガイドレール６９２Ｂによって構成されており、第１ガイドレール６９２Ａが、戻り側ベルト６２２Ａの内側に、また、第２ガイドレール６９２Ｂが、戻り側ベルト６２２Ａの外側にそれぞれ配設されている。
【０１３３】
この例では、駆動プーリ６１８の停止によって戻り側ベルト６２２Ａが張った状態から弛んだ状態となり、戻り側ベルト６２２Ａは、被駆動プーリ６２０から駆動プーリ６１８へと弛みながら移動するが、ガイドレール６９２（の第１ガイドレール６９２または第２ガイドレール６９２Ｂ）によって押さえられている部位は弛むことができない。これにより、戻り側ベルト６２２Ａの弛みが駆動プーリ６１８と接する部分に集約されて、戻り側ベルト６２２Ａの弛みの一部が歯飛びとなって現れる。そして、この歯飛びを、送り側ベルト６２２Ｂの方向へ送り出すことによって送り側ベルト６２２Ｂの張力を緩和して被駆動プーリ６２０の振動を防止する。
【０１３４】
さらに、このようなガイドレール６９２を適用する場合には、同図（ｃ）〜（ｆ）に示されるように、テンションローラ６２６と、ガイドレール６９２の第２ガイドレール６９２Ｂを、連結部材６９４で連結し、両者を一体的に駆動する構成としてもよい。なお、同図（ｃ）はテンションローラ、第２ガイドレール、および、連結部材の略示側面図、同図（ｄ）は、その略示平面図である。また、同図（ｅ）および（ｆ）は同図（ｃ）および（ｄ）の作動の様子を示した図であり、（ｅ）は作動時におけるテンションローラ、第２ガイドレール、および、連結部材の略示側面図、（ｆ）は、その略示平面図である。
【実施例２】
【０１３５】
次に、本発明の実施例２に係るスロットマシンについて説明する。なお、可変表示装置以外の構成については、上記実施例１に係るスロットマシン１００と同一であるため、以下、可変表示装置について説明する。
【０１３６】
＜可変表示装置＞
【０１３７】
図１７は本実施例２に係る可変表示装置８００を構成する部材を分解して示した分解斜視図である。また、図１８（ａ）は可変表示装置８００を組み立てた状態を示す略示側面図であり、同図（ｂ）はその略示正面図である。なお、図１７（ａ）および（ｂ）では、説明の都合上、一部の部材の図示を省略している。
【０１３８】
同図に示されるように、この可変表示装置８００は、リール１１０（１１１、１１２）と、このリールを回転駆動する駆動装置８０４と、リール１１０（１１１、１１２）の回転位置を検出する回転検出装置６０６と、リール１１０（１１１、１１２）の内部から各リール１１０（１１１、１１２）に施された図柄を照明するリール照明装置６０８と、を有して構成されている。なお、リール１１０〜１１２、回転検出装置６０６、および、リール照明装置６０８は上記実施例１と同一であるため、その説明は省略し、駆動装置８０４についても同一部分については説明を省略する。
【０１３９】
＜駆動装置＞
【０１４０】
駆動装置８０４は、上記実施例１に係る駆動装置６０４からベルト押さえローラ６２８を削減すると共に、ワンウェイクラッチ８０６を追加したものである。なお、可動ベース８１０は、上記実施例１に係る可動ベース６２４と略同一であるが、ベルト押さえローラ６２８の削減に伴って、このベルト押さえローラ６２８を支持する第２支持軸６２４Ｂが削減されている。
【０１４１】
図１９（ａ）および（ｂ）はワンウェイクラッチ８０６を示した外観斜視図であり、（ａ）は駆動モータの回転時の様子を示した図であり、（ｂ）は駆動モータの停止時の様子を示した図である。
【０１４２】
同図に示されるように、ワンウェイクラッチ８０６は、駆動モータ６１６のモータ軸６１６Ａに固定されて、モータ軸６１６Ａと共に図中の矢印Ｄ方向に回転する回転部８０６Ａと、駆動プーリ６１８に固定されて回転部８０６Ａの一方向（矢印Ｄ方向）の回転駆動力だけを駆動プーリ６１８に伝達可能で、且つ、一方向（矢印Ｄ方向）の回転が自由な外輪（動力伝達部）８０６Ｂによって構成されている。
【０１４３】
外輪８０６Ｂは、図示しない付勢手段によって回転部８０６Ａ側に押圧されており、この付勢手段による押圧力を調整することによって、駆動モータ６１６（回転部８０６Ａ）の停止時における第１リール枠６１２（外輪８０６Ｂ）の回転量を調整することができる。
【０１４４】
なお、回転部８０６Ａの外周部に形成された外歯の歯数は特に限定されないが、リール帯６１０に配置する図柄の数の倍数とすることが好ましい。本実施例では、上述の通り、リール帯６１０に２１コマの図柄を配設するため、回転部８０６Ａの外歯の歯数は、２１×ｎ（ｎは正の整数）であることが好ましい。なお、リール帯６１０に配置する図柄の数は２１コマに限定されるものではない。
【０１４５】
このように、回転部８０６Ａの外歯の歯数（ワンウェイクラッチ８０６の１回転当たりのステップ数）をリール帯６１０に配置する図柄の数の倍数に設定すれば、リール１１０〜１１２の停止制御を簡素化することができるとともに、各リール１１０〜１１２の間で図柄位置にずれが生じてしまうことがない。本実施例では、駆動モータ６１６がステッピングモータによって構成されているため、駆動モータ６１６への供給電源が遮断されている場合（電断時）でもモータ軸６１６Ａを手動で回転させることが可能である。したがって、電断時においてモータ軸６１６Ａを回転させることができる力よりも弱い力で第１リール枠６１２（外輪８０６Ｂ）を回転させることができるように、回転部８０６Ａに与える押圧力を調整すれば、手動でリールを回転させて停止図柄位置を変更することが可能となるとともに、各リール１１０〜１１２の間で図柄位置にずれが生じてしまうことがない。
【０１４６】
なお、図１９（ｈ）に拡大して示されるように、回転部８０６Ａの外歯の歯元に、外輪８０６Ｂの先端部が嵌合可能な凹部を形成すれば、回転部８０６Ａの回転方向の位置決めをより正確に行うことができ、リール１１０〜１１２の停止時における図柄位置がばらつくことがない。
【０１４７】
次に、可変表示装置８００の作用について説明する。
【０１４８】
駆動モータ６１６のモータ軸６１６Ａが回転すると、このモータ軸６１６Ａに固定されたワンウェイクラッチ８０６の回転部８０６Ａが回転駆動されると共に、この回転部８０６Ａの回転駆動力が外輪８０６Ｂを介して駆動プーリ６１８に伝達される。外輪８０６Ｂによって駆動プーリ６１８が回転駆動されると、この駆動プーリ６１８の回転駆動力によってタイミングベルト６２２が周回走行される。そして、このタイミングベルト６２２の周回走行により、タイミングベルト６２２が掛け渡された被駆動プーリ６２０が回転駆動されると共に、この被駆動プーリ６２０に連結された各リール１１０〜１１２の第１リール枠６１２が回転駆動される。この結果、第１リール枠６１２に固定されたリール帯６１０が回転駆動されることになる。
【０１４９】
すなわち、駆動モータ６１６の動力は、モータ軸６１６Ａ→ワンウェイクラッチ８０６の回転部８０６Ａ→ワンウェイクラッチ８０６の外輪８０６Ｂ→駆動プーリ６１８→タイミングベルト６２２→被駆動プーリ６２０→第１リール枠６１２→リール帯６１０の順で伝達される。
【０１５０】
また、駆動モータ６１６が停止すると、モータ軸６１６Ａの回転が停止し、これによってワンウェイクラッチ８０６の回転部８０６Ａの回転が停止されるが、外輪８０６Ｂは正方向への回転が自由であるため、回転部８０６Ａの停止後も回転が可能である。これにより、外輪８０６Ｂが固定された駆動プーリ６１８も回転可能な状態となるため、リール１１０〜１１２や被駆動プーリ６２０が慣性力によって回転をし続けても、この回転が駆動プーリ６１８によって妨げられることがない。
【０１５１】
本実施例２に係るスロットマシンは、駆動モータ６１６によって回転駆動される回転部８０６Ａと、回転部８０６Ａの一方向の回転駆動力のみを伝達可能で、且つ、一方向への回転が自由な外輪８０６Ｂと、を有して構成されているため、駆動モータ６１６の停止時に、外輪８０６Ｂを回転させることによって可動体１１０（１１１、１１２）の慣性力を吸収することができる上に、可動体１１０（１１１、１１２）が逆方向に移動することを防止することができる。そのため、可動体１１０（１１１、１１２）の慣性力に起因する可動体の振動を抑えることができる。
【０１５２】
なお、本発明に係る遊技台に適用可能なワンウェイクラッチは、上記図１９（ａ）および（ｂ）に示されるワンウェイクラッチ８０６に限定されるものではなく、例えば、図１９（ｃ）〜（ｅ）に示されるようなワンウェイクラッチ８０８を適用してもよく、また、一方向にトルクを発生し、他方向ではトルクを発生せず空転状態とするワンウェイヒンジを適用してもよい。
【０１５３】
図１９（ｃ）はワンウェイクラッチ８０８を示した外観斜視図であり、同図（ｄ）は駆動モータの回転時におけるワンウェイクラッチ８０８の様子を示した図であり、同図（ｅ）は駆動モータの停止時におけるワンウェイクラッチ８０８の様子を示した図である。
【０１５４】
このワンウェイクラッチ８０８は、リング状の外輪８０８Ａと、この外輪８０８Ａの径方向内周部に収容・固定された複数のばね８０８Ｂと、各々のばね８０８Ｂの先端部に配設された複数のコロ８０８Ｃと、を有して構成されている。
【０１５５】
このワンウェイクラッチ８０８の外輪８０８Ａの中空部には、例えば、駆動モータのモータ軸が挿入される。そして、モータ軸が回転駆動されると、コロ８０８Ｃは、ばね８０８Ｂの付勢力に抗してモータ軸の回転方向に進んで外輪８０８Ａのカム面の噛み合い位置へと移動する（図１９（ｄ）参照）。このコロ８０８Ｃの移動により、外輪８０８Ａのカム面と、モータ軸との間に「くさび作用」が働き、外輪７８０Ａはモータ軸によって回転駆動される。一方、モータ軸が停止されると、コロ８０８Ｃは、ばね８０８Ｂの付勢力により外輪８０８Ａのカム面から離間する（図１９（ｅ）参照）。その結果、「くさび作用」が機能しなくなり、外輪８０８Ａは慣性力によってモータ軸に対して空転する。
【０１５６】
なお、例えばコロ８０８Ｃを、図示しない付勢手段によってモータ軸側に押圧すれば、付勢手段による押圧力を調整することによって、駆動モータの停止時における外輪８０８Ａの回転（空転）量を調整することもできる。
【０１５７】
なお、本実施例では、ワンウェイクラッチを適用したが、本発明はこれに限定されず、例えば、図１９（ｆ）および（ｇ）に示されるようなトルクリミッタ８１０を適用してもよい。なお、同図（ｆ）および（ｇ）はトルクリミッタを示した外観斜視図であり、（ｆ）は駆動モータの回転時の様子を示した図であり、（ｇ）は駆動モータの停止時の様子を示した図である。
【０１５８】
同図に示されるトルクリミッタ８１０は、駆動モータ６１６のモータ軸６１６Ａに固定されて、モータ軸６１６Ａと共に図中の矢印Ｅ方向に回転する回転部８１０Ａと、駆動プーリ６１８に固定されて回転部８１０Ａから印加される所定トルク以下の回転駆動力を駆動プーリ６１８に伝達可能で、且つ、所定トルクよりも大きな回転駆動力が加わった場合に回転部８１０Ａに対して空転が可能な動力伝達部８１０Ｂによって構成されている。
【０１５９】
この例では、駆動モータ６１６のモータ軸６１６Ａが回転すると、このモータ軸６１６Ａに固定されたトルクリミッタ８１０の回転部８１０Ａが回転駆動されると共に、この回転部８１０Ａから印加される所定トルク以下の回転駆動力が動力伝達部８１０Ｂを介して駆動プーリ６１８に伝達される。
【０１６０】
一方、駆動モータ６１６が停止すると、モータ軸６１６Ａの回転が停止し、これによってトルクリミッタ８１０の回転部８１０Ａの回転が停止されるが、動力伝達部８１０Ｂは、駆動プーリ６１８から所定トルクより大きな回転駆動力を受けた場合、回転部８１０Ａに対して空転が可能である。これにより、動力伝達部８１０Ｂが固定された駆動プーリ６１８も回転可能な状態となるため、リール１１０〜１１２や被駆動プーリ６２０が慣性力によって回転をし続けても、この回転が駆動プーリ６１８によって妨げられることがない。
【０１６１】
このように、駆動モータ６１８によって回転駆動される回転部８１０Ａと、回転部８１０Ａから印加される所定トルク以下の回転駆動力を伝達可能で、且つ、所定トルクよりも大きな回転駆動力が加わった場合に回転部８１０Ａに対して空転が可能な動力伝達部８１０Ｂと、を有して構成されていれば、駆動モータ６１８の停止時に動力伝達部８１０Ｂを回転部８１０Ａに対して空転させることによって可動体１１０（１１１、１１２）の慣性力を吸収することができる。そのため、可動体１１０（１１１、１１２）の慣性力に起因する可動体の振動を抑えることができる。
【０１６２】
しかも、上記実施例２では、動力伝達経路上にワンウェイクラッチを配設しているため、駆動モータの一方向（正転方向または逆転方向のいずれか一方）の回転駆動力を用いて可動体を駆動する場合に限定されるが、トルクリミッタは駆動モータの両方向（正転方向および逆転方向）の回転駆動力を用いて可動体を駆動することが可能である。
【０１６３】
さらに、この例では、リール１１０（１１１、１１２）の慣性力により、被駆動プーリ６２０、タイミングベルト６２２、駆動プーリ６１８を回転させる例を示したが、本発明はこれに限定されず、例えば、図２０に示されるように、リール１１０（１１１、１１２）の回転軸にトルクリミッタ８１０の動力伝達部８１０Ｂを固定すると共に、被駆動プーリ６２０にトルクリミッタ８１０の回転部８１０Ａを固定してもよい。この場合、駆動プーリ６１８の停止時には、リール１１０（１１１、１１２）だけが慣性力によって回転することになる。なお、トルクリミッタに替えて、ワンウェイクラッチを配設できることは言うまでもない。
【０１６４】
また、上記実施例２では、ワンウェイクラッチ８０６を駆動モータ６１６のモータ軸６１６Ａと、駆動プーリ６１８との間に配設したが、本発明はこれに限定されるものではなく、例えば、図２１に示される可変表示装置９００のように、ワンウェイクラッチ８０６を、ブラケット６１７の回転軸６１７Ａと、被駆動プーリ６２０との間に配設してもよく、また、ワンウェイクラッチ８０６の回転部８０６Ａは回転不能に固定されていてもよい。
【０１６５】
図２１に示されるワンウェイクラッチ８０６の回転部８０６Ａは、ブラケット６１７の回転軸６１７Ａに回転不能に固定される。一方、外輪８０６Ｂは、被駆動プーリ６２０の中央に形成された中空部に嵌合・固定され、回転部８０６Ａに対して一方向への回転が自由である。
【０１６６】
この可変表示装置９００では、駆動モータ６１６が停止すると、モータ軸６１６Ａの回転が停止し、これによって、駆動プーリ６１８の回転や、タイミングベルト６２２の周回走行が停止されるが、ワンウェイクラッチ８０６の外輪８０６Ｂは回転部８０６Ａに対して正方向への回転が自由であるため、駆動モータ６１６の停止後も回転が可能である。これにより、外輪８０６Ｂに固定された被駆動プーリ６２０も回転可能な状態となるため、リール１１０〜１１２や被駆動プーリ６２０が慣性力によって回転をし続けても、この回転が駆動プーリ６１８やタイミングベルト６２２によって妨げられることがない。
【０１６７】
なお、上記実施例１では、本発明に係る「可動体」として回転体（リール）１１０〜１１２を採用し、このリール１１０〜１１２を回転駆動する例を示したが、本発明はこれに限定されるものではなく、例えば、可動体として直線運動を行う演出装置（例えば、上記実施例における扉装置１６３など）を採用してもよい。
【０１６８】
なお、本発明に係る遊技台は、「複数種類の図柄が施された複数のリールと、このリールの回転を開始させるためのスタートレバーと、各々のリールに対応して設けられ、リールの回転を個別に停止させるためのストップボタンと、予め定められた役の内部当選の当否を抽選により判定する抽選手段と、この抽選手段の判定結果とストップボタンの操作に基づいて、リールを停止させるリール停止制御手段と、を備え、停止時のリールにより表示される図柄の組合せが、内部当選した役に対応して予め定められた図柄の組合せである場合に前記役に入賞するように構成されたスロットマシン」に好適であるが、上記実施例に示されるようなスロットマシンの構造等に限定されるものではない。
【０１６９】
従って、例えば、上記実施例においては、メダル（コイン）を遊技媒体としたスロットマシンの例を示したが、本発明はこれに限定されるものではなく、例えば、遊技球（例えば、パチンコ玉）を遊技媒体としたスロットマシン（いわゆるパロット）やパチンコ遊技機などにも適用可能である。
【０１７０】
ここで、本発明が適用されるパチンコ遊技機としては、リール（回転体）などの可動体を有し所定の図柄(識別情報)を変動表示する可変表示装置を備え、始動入賞口に遊技球が入って入賞することを契機として、可変表示装置が図柄を変動させた後に停止表示させて、遊技状態の推移を告知するようなパチンコ遊技機が一例として挙げられる。
【０１７１】
このようなパチンコ遊技機では、遊技球が始動入賞口に入球すると、抽選を行い、この抽選結果が当りであるか否かを判定する。そして、この抽選で大当たりに当選すると、可変表示装置により、特定の図柄による組合せ(大当たり図柄；例えば、７７７など)が表示され、大当たり状態に移行する。大当たり状態では、大入賞口が、例えば、所定の時間または所定の回数、開放され続けるので、遊技球は入球しやすい状態となり、遊技者にとって有利な状態が実現されるようになっている。また、特定の図柄による組合せ(大当たり図柄)が、確率変動を伴う大当たり図柄（確変図柄）である場合には、次に大当たりとなる確率が高くなり、遊技者にとってさらに有利な状態が実現される。
【産業上の利用可能性】
【０１７２】
本発明は、スロットマシンやパチンコ遊技機などに代表される遊技台に適用することができる。
【図面の簡単な説明】
【０１７３】
【図１】本発明の実施例１に係るスロットマシンの外観斜視図である。
【図２】同スロットマシンにおける制御部の回路ブロック図である。
【図３】同スロットマシンにおけるリールボックス内に３つの可変表示装置を収容した様子を示す外観斜視図である。
【図４】同スロットマシンにおける可変表示装置を構成する部材を分解して示した分解斜視図である。
【図５】（ａ）は同可変表示装置を組み立てた状態を示す略示側面図であり、（ｂ）はその略示正面図である。
【図６】同スロットマシンにおける各リールのリール帯に施される図柄の配列を平面的に展開して示した図である。
【図７】同スロットマシンにおける駆動装置およびリール回転装置が金属枠体に固定された状態を示す外観斜視図である。
【図８】（ａ）は図７における駆動装置およびリール回転装置を正面から見た略示正面図であり、（ｂ）は（ａ）におけるＣ−Ｃ線に沿う略示側断面図である。
【図９】（ａ）〜（ｆ）は、駆動モータの停止時における、駆動プーリ、被駆動プーリ、タイミングベルト、テンションローラ、および、ベルト押さえローラの様子を模式的に示した図である。
【図１０】従来のスロットマシンに採用されている、駆動プーリと、被駆動プーリと、タイミングベルトと、テンションローラの様子を模式的に示した図である。
【図１１】同スロットマシンにおいてリールを停止した場合のリール回転数の変化を示したグラフである。
【図１２】制振対策を施していないスロットマシンにおいてリールを停止した場合のリール回転数の変化を示したグラフである。
【図１３】同スロットマシンにおける主制御メイン処理のフローチャートである。
【図１４】（ａ）〜（ｃ）は、テンションローラとベルト押さえローラをそれぞれ異なる手段で駆動する例を示した略示平面図である。
【図１５】（ａ）および（ｂ）はテンションローラとベルト押さえローラの他の実施例を示した図であり、（ａ）はテンションローラ、ベルト押さえローラ、および、これらを連結する連結部材の略示側面図、（ｂ）は、その略示平面図である。
【図１６】（ａ）は本発明に係る第２の張力調整手段として、平板状のガイドレールを適用した例を示した略示平面図であり、（ｂ）は本発明に係る第２の張力調整手段として、タイミングベルトに沿うように曲げ加工されたガイドレールを適用した例を示した略示平面図である。また、（ｃ）はテンションローラ、第２ガイドレール、および、連結部材の略示側面図、（ｄ）は、その略示平面図である。さらに、（ｅ）および（ｆ）は（ｃ）および（ｄ）の作動の様子を示した図であり、（ｅ）は作動時におけるテンションローラ、第２ガイドレール、および、連結部材の略示側面図、（ｆ）は、その略示平面図である。
【図１７】本実施例２に係る可変表示装置を構成する部材を分解して示した分解斜視図である。
【図１８】（ａ）は可変表示装置を組み立てた状態を示す略示側面図であり、（ｂ）はその略示正面図である。
【図１９】（ａ）および（ｂ）はワンウェイクラッチを示した外観斜視図であり、（ａ）は駆動モータの回転時の様子を示した図、（ｂ）は駆動モータの停止時の様子を示した図である。また、（ｃ）は他のワンウェイクラッチを示した外観斜視図であり、（ｄ）は駆動モータの回転時におけるワンウェイクラッチの様子を示した図、（ｅ）は駆動モータの停止時におけるワンウェイクラッチの様子を示した図である。さらに、（ｆ）および（ｇ）はトルクリミッタを示した外観斜視図であり、（ｆ）は駆動モータの回転時の様子を示した図、（ｇ）は駆動モータの停止時の様子を示した図である。さらに、（ｈ）はワンウェイクラッチの回転部と動力伝達部の接触部分を拡大して示す部分拡大図である。
【図２０】トルクリミッタの他の適用例を示した略示側面図である。
【図２１】他の例に係る可変表示装置を構成する部材を分解して示した分解斜視図である。
【符号の説明】
【０１７４】
１００…スロットマシン
１１０、１１１、１１２…リール
１３５…スタートレバー
１３７、１３８、１３９…ストップボタン
３００…主制御部
４００…副制御部
５００…表示制御部
６０２、８００、９００…可変表示装置
６０４、８０４、９０４…駆動装置
６１６…駆動モータ
６１８…駆動プーリ
６２０…被駆動プーリ
６２２…タイミングベルト
６２２Ａ…戻り側ベルト
６２２Ｂ…送り側ベルト
６２４、８１０…可動ベース
６２６…テンションローラ
６２８…ベルト押さえローラ
８０６…ワンウェイクラッチ
８１０…トルクリミッタ
【図１】
2008011948.tif 000003
【図２】
2008011948.tif 000004
【図３】
2008011948.tif 000005
【図４】
2008011948.tif 000006
【図５】
2008011948.tif 000007
【図６】
2008011948.tif 000008
【図７】
2008011948.tif 000009
【図８】
2008011948.tif 000010
【図９】
2008011948.tif 000011
【図１０】
2008011948.tif 000012
【図１１】
2008011948.tif 000013
【図１２】
2008011948.tif 000014
【図１３】
2008011948.tif 000015
【図１４】
2008011948.tif 000016
【図１５】
2008011948.tif 000017
【図１６】
2008011948.tif 000018
【図１７】
2008011948.tif 000019
【図１８】
2008011948.tif 000020
【図１９】
2008011948.tif 000021
【図２０】
2008011948.tif 000022
【図２１】
2008011948.tif 000023